(57)【要約】自動車のための装飾器具に関し、照明効果を向上させる。外表面及び表面より内側の内部第一表面を有する主要部材と、内部第二表面及び接合面を有する光透過性部材と、光源が製造され、また必要に応じて固定具が製造される。光透過性部材において内部第二表面側に溝が作られる。光源は光透過性部材の溝に配置される。内部第二表面と光透過性部材は、例えば接着剤または当該分野で利用される他の方法により前記第一面に接合される。【選択図】図１
2015502024.tif 000002
【特許請求の範囲】
【請求項１】
照明があたる自動車エンブレムであって、
前記自動車エンブレムは、外表面と内部第一表面を互いに反対側に配置するように有する主要部材と、内部第二表面と接合面を互いに反対側に配置するように有する光透過性部材と、光源とを備え、
前記主要部材は非光透過性の素材からなり、前記内部第一表面は前記光透過性部材と前記内部第二表面により接合していて、前記光源はＬＥＤテープの形状であり、前記主要部材と前記接合面の間に配置されていて、前記光透過性部材の前記内部第二表面側に溝が作られ、前記光源が前記溝に配置されている
ことを特徴とする自動車エンブレム。
【発明の詳細な説明】
【技術分野】
【０００１】
本発明は、自動車のための装飾器具に関する。
【背景技術】
【０００２】
最も近いプロトタイプは、下側からの照明があたるエンブレムである（例えば、非特許文献１）。照明があたるエンブレムは、透明でないエンブレム、ダイオードを有するテープ、光透過性のフレーム、及び固定具で構成されている。エンブレムの凹み部分にはダイオードを有するテープが配置されている。ダイオードを有するテープ側では、エンブレムが光透過性のフレームに接合されている。光透過性のフレームは、エンブレムとの接合の反対側に固定具を備えている。固定具は、自動車の表面へエンブレムと照明を取り付ける役割を果たす。
【０００３】
このプロトタイプの欠点は、ダイオードを有するテープがエンブレムの深い位置に配置されること、及び発光が光透過性でないエンブレムの素材に吸収されることによる照明効率の低さである。
【先行技術文献】
【非特許文献】
【０００４】
【非特許文献１】ｈｔｔｐ：／／ｗｗｗ．ｄｒｉｖｅ２．ｒｕ／ｃｏｍｍｕｎｉｔｉｅｓ／ＬＥＤｔｕｎｉｎｇ／ｂｌｏｇ／２８８２３０３７６１５１８０５４１９／
【発明の概要】
【発明が解決しようとする課題】
【０００５】
本発明は、上記において照明効率の向上を課題とする。
【課題を解決するための手段】
【０００６】
照明があたる自動車エンブレムが、外表面と外表面より内側の内部第一表面とを互いに反対側に有する主要部材、外表面より内側の内部第二表面と接合面とを互いに反対側に有する光透過性の部材及び光源を含み、前記主要部材は非光透過性の素材からなり、前記主要部材の内部第一表面が前記光透過性部材と内部第二表面により接合していて、光源はＬＥＤテープの形状で、主要部材と接合面の間に配置されていて、光透過性部材の内部第二表面側に溝が作られ、光源がその溝に配置されていることにより、本発明の目的は達成される。
【図面の簡単な説明】
【０００７】
【図１】本発明器具の部分的な切断面を示す説明図
【発明を実施するための形態】
【０００８】
図面には、主要部材１、外表面２、内部第一表面３、内部第二表面４、光透過性部材５、接合面６、溝７、テープ８、光源９が示されている。
【０００９】
当該器具の主な構成要素は主要部材１、光透過性部材５、光源９及び固定具である。
【００１０】
エンブレムは装飾器具であり、その形状によってあらゆる文字記号またはあらゆる図形及びあらゆる図形の輪郭を描くことができる。エンブレムは主要部材１、光透過性部材５、光源９で構成されている。
【００１１】
主要部材１はその形状によってあらゆる文字記号またはあらゆる図形及びあらゆる図形の輪郭を描くことができる。主要部材１は非光透過性であり、すなわち光を通さないものである。主要部材１は例えばプラスチックや金属等のいかなる硬質の素材で作られていてもよい。
主要部材１は外表面２及び内部第一表面３を備えている。その際に、外表面２と内部第一表面３は互いに反対側、すなわち互いに対して主要部材１において反対側に配置されている。外表面２と内部第一表面３の間の距離は、内部第一表面３及び外表面２の幅の数分の一である。個々の場合において、主要部材１の外表面２と内部第一表面３は、全面的に平らなものとなることも、または例えば互いに対して縞状に配置され、必要な文字を形成することのできる一定の模様をなす、いくつかの部分からなる面となることもできる。その際個々の場合において、外表面２及び内部第一表面３は同様の形状であり、同様の配置になっている。外表面２は当該器具の外側へ向き、光透過性部材５の反対側へ向いている。内部第一表面３は光透過性部材５の方へ向いている。
【００１２】
光透過性部材５は平らな形状で、外形は主要部材１と同様である。光透過性部材５は内部第二表面４及び接合面６を備えている。その際に、接合面６及び内部第二表面４は互いに反対側に配置している。内部第二表面４と接合面６の間の距離は、内部第二表面４と接合面６の幅の何分の一かである。個々の場合において、光透過性部材５の内部第二表面４及び接合面６は全面的に平らなものとなることも、またはいくつかの部分からなるものとなることもできる。内部第二表面４と接合面６の形状は、内部第一表面３の形状と同様のものである。光透過性部材５は、内部第二表面４により内部第一表面３と接合している。接合面６は、例えば、固定具が自動車の車体に接着することができるように作られている。光透過性部材５は光透過性の素材、それ自体の中を光が通過する素材でできている。光透過性部材５の内部第二表面４には溝７が作られている。
【００１３】
溝７は細長い凹みであり、その中に光源９が配置されるように作られている。溝７は、光透過性部材５を構成する一つ一つの部分、または光透過性部材５が平らな面で作られている場合には光透過性部材５の外周に沿って作られる。
【００１４】
固定具は、自動車の車体に接着することができるように作られている。固定具としては、例えば接合面６に備えられる接着質の物質や、当該分野で利用される他のあらゆる装備を利用することができる。
【００１５】
光源９は、ＬＥＤテープの形状である。本願において、ＬＥＤテープは、ＬＥＤが互いに一定の距離で配置され、電力供給源への連結が可能であり、またＬＥＤが柔軟性のある細長い素材により互いに連結されていて、その長さが前記細長い素材の太さの数倍となる、例えばテープ、糸または何本かの糸の束、あるいはチューブや線、またはその他の同様の形状をした素材であると解釈するものとする。ＬＥＤテープの太さ及び幅は、溝７への配置が可能であるものとなる。
【００１６】
本発明は、以下の方法で実現する。外表面２及び内部第一表面３を有する主要部材１、内部第二表面４及び接合面６を有する光透過性部材５、及び光源９が製造される。また、必要に応じて固定具が製造される。光透過性部材５の中の内部第二表面４側に溝７が作られる。光源９は光透過性部材５の中に作られた溝７の中に配置される。光透過性部材５は、例えば接着質の物質または他の当該分野で利用されるあらゆる方法により、内部第二表面４において内部第一表面３に接合される。
【００１７】
接合面６は、固定具により自動車の車体へ接着される。光源９からの導線は、自動車に搭載された電源に接続される。外表面２は自動車の車体と反対側へ向けられている。自動車に搭載された電源が入れられると、光源９が作動する。光源９から発せられる光は、非光透過性すなわち光を吸収する主要部材１を通過することはない。光源９が溝７の中に配置することにより、主要部材１に吸収される光の角度が前記プロトタイプと比べて小さくなる。光源９から発せられる光は光透過性部材５を通過し、当該器具の外周で発せられる。その際、発せられる光はいかなる色でもあり得る。この可能性は、光源９が一色または数色の色調を有し光透過性部材５が無色であること、または光源９は無色であるが光透過性部材５が何かしらの色調を有することにより、もたらされるものである。
【００１８】
上記のような方法により、非光透過性の主要部材、光透過性部材及び光源からなる器具は、光源が光透過性部材に作られる溝の中に配置されることにより、照明効率を向上させる。
【図１】
2015502024.tif 000003
【国際調査報告】
2015502024.tif 000004
2015502024.tif 000005